(57)【要約】【課題】  映像信号に含まれる字幕情報を、簡単な操作でリモコン端末の表示画面に表示することができるテレビ受像機セットを低コストで提供すること。【解決手段】  テレビ受像機に映像信号から字幕情報を抽出する字幕情報抽出機能を備え、リモコン端末の操作ボタンの操作に応じて、前記字幕情報抽出手段で抽出した字幕情報をテレビ受像機に備える送信手段及びリモコン端末側に備える受信手段を用いた赤外線通信でリモコン端末に伝送し、リモコン端末の表示画面に表示する。【選択図】図１
2011049634.tif 000002
【特許請求の範囲】
【請求項１】
テレビ受像機とリモコン端末からなるテレビ受像機セットにおいて、
前記テレビ受像機は、
映像信号から字幕情報を抽出する字幕情報抽出手段と、
前記字幕情報を一時的に記憶する一時メモリと、
前記一時メモリに記憶された字幕情報を前記リモコン端末に送信する送信手段と
を備え、
前記リモコン端末は、
操作ボタンと、
表示器と、
前記テレビ受像機から前記字幕情報を受信する受信手段と、
前記操作ボタンの操作によって前記一時メモリに記憶された字幕情報を前記送信手段及び前記受信手段を介して前記表示器に表示する制御手段と
を備えることを特徴とするテレビ受像機セット。
【請求項２】
前記リモコン端末は、前記送受信手段を介して入力された字幕情報を蓄積記憶する字幕情報メモリを備えることを特徴とする請求項１記載のテレビ受像機セット。
【請求項３】
前記送信手段は、赤外線発光によるものであり、前記受信手段は、赤外線受光によるものであることを特徴とする請求項１又は２記載のテレビ受像機セット。
【請求項４】
前記一時メモリは、ｎ画面（ｎは２以上の正の整数）の映像信号に含まれる字幕情報を記憶し、前記制御手段は、前記操作ボタンの操作によって該ｎ画面の映像信号に含まれる字幕情報を前記リモコン端末に送信することを特徴とする請求項１乃至３いずれかに記載のテレビ受像機セット。
【発明の詳細な説明】
【技術分野】
【０００１】
本発明は、テレビやビデオなどの映像信号から字幕情報を抽出し、リモコン端末の表示器に表示するテレビ受像機セットに関する。
【背景技術】
【０００２】
従来、テレビやビデオなどの映像信号から字幕情報を抽出する技術が知られている（例えば、特許文献１参照。）。
【先行技術文献】
【特許文献】
【０００３】
【特許文献１】特開平２００３−３３３４４５号公報
【発明の概要】
【発明が解決しようとする課題】
【０００４】
しかしながら、これらの技術はテレビやビデオなどの映像信号から字幕情報を抽出し、この抽出した字幕情報を障害者の活動を支援するなどの目的で入出力部を経由してプリンタ、点字プリンタ、インターネットや電話回線接続などに出力して利用するもので、装置は大型で高コストであり、また操作が複雑なので簡単かつ手軽に字幕情報を利用できるものではなかった。
【０００５】
本発明は、上記問題点に鑑み、リモコン端末の表示器に字幕情報を表示することにより、装置は小型、低コストで、操作が簡単なので手軽に使える字幕情報抽出機能を有したテレビ受像機セットを提供することを目的とする。
【課題を解決するための手段】
【０００６】
上記目的を達成するため、請求項１に記載した本発明のテレビ受像機セットは、テレビ受像機とリモコン端末からなるテレビ受像機セットにおいて、前記テレビ受像機は、映像信号から字幕情報を抽出する字幕情報抽出手段と、前記字幕情報を一時的に記憶する一時メモリと、前記一時メモリに記憶された字幕情報を前記リモコン端末に送信する送信手段とを備え、前記リモコン端末は、操作ボタンと、表示器と、前記テレビ受像機から前記字幕情報を受信する受信手段と、ボタンの操作によって前記一時メモリに記憶された字幕情報を前記送信手段及び前記受信手段を介して前記表示器に表示する制御手段とを備えることを特徴とする。
【０００７】
また、請求項２に記載した本発明のテレビ受像機セットは、前記リモコン端末は、前記送受信手段を介して入力された字幕情報を蓄積記憶する字幕情報メモリを備えることを特徴とする。
【０００８】
また、請求項３に記載した本発明のテレビ受像機セットは、前記送信手段は、赤外線発光によるものであり、前記受信手段は、赤外線受光によるものであることを特徴とする。
【０００９】
また、請求項４に記載した本発明のテレビ受像機セットは、前記一時メモリは、ｎ画面（ｎは２以上の正の整数）の映像信号に含まれる字幕情報を記憶し、前記制御手段は、前記操作ボタンの操作によって該ｎ画面の映像信号に含まれる字幕情報を前記リモコン端末に送信することを特徴とする。
【発明の効果】
【００１０】
請求項１に記載した本発明のテレビ受像機セットによれば、小型、低コストで、簡単かつ手軽に使える字幕情報抽出機能を有したテレビ受像機セットを提供できる効果がある。
【００１１】
請求項２に記載した本発明のテレビ受像機セットによれば、その場で見た字幕情報だけでなく、過去に見た字幕情報も呼び出して再表示ことができる効果がある。
【００１２】
請求項３に記載した本発明のテレビ受像機セットによれば、字幕情報の送信及び受信にテレビ受像機のリモコンとして通常使用されている赤外線通信を使用することができるので、更に低コストなテレビ受像機セットを構成することができる効果がある。
【００１３】
請求項４に記載した本発明のテレビ受像機セットによれば、操作ボタンを操作した時点より以前の複数の画面に含まれる字幕情報を記憶しているので、もし操作ボタンの操作が遅れてしまった場合でも過去の所望の字幕情報を見ることが可能であるという効果がある。
【図面の簡単な説明】
【００１４】
【図１】本発明の一実施例によるテレビ受像機セットの構成を示す図である。
【図２】本実施例のリモコン端末の機能動作を説明するフローチャートである。
【発明を実施するための形態】
【００１５】
以下、添付図面を参照しながら本発明を実施するための最良の形態について詳細に説明する。
【実施例１】
【００１６】
図１は、本発明の一実施例によるテレビ受像機セットの構成を示す図である。本実施例のテレビ受像機セットは、テレビ受像機２、及びリモコン端末３を備える。テレビ受像機２は、受信したテレビ電波を処理して映像信号を出力するテレビ回路２１、テレビ画面を表示する表示器２２、テレビ回路２１の出力である映像信号から字幕情報を抽出する字幕情報抽出手段２４、抽出した字幕情報を一時記憶する一時メモリ２５、テレビ受像機２の回路動作を制御する制御手段２３、リモコン端末３に赤外線通信で情報を送信するための送信手段２６と発光ダイオード２７、リモコン端末３から赤外線通信で情報を受信するための受信手段２８と受光ダイオード２９を備えている。
【００１７】
リモコン端末３は、使用者がボタン操作をするための操作ボタン３１、リモコン端末の回路動作を制御するための制御手段３２、ボタン操作情報や字幕情報を兼用表示する表示器３３、テレビ受像機２から赤外線通信で情報を受信するための受信手段３４と受光ダイオード３５、テレビ受像機２に赤外線通信で情報を送信するための送信手段３６と発光ダイオード３７、字幕情報を蓄積する字幕情報メモリ３８、リモコン端末３の回路電源となる電池３９を備えている。
【００１８】
図２は、本実施例のリモコン端末の機能動作を説明するフローチャートである。以下、図１に示されたテレビ受像機セットの機能を図２のフローチャートを用いて説明する。
【００１９】
まず、通常のテレビ受像機能について説明する。受信されたテレビ信号は、テレビ回路２１で復号されて映像信号となり、表示器２２で画面表示される。リモコン端末３によるテレビ受像機の操作は送信手段３６、発光ダイオード３７、受光ダイオード２９、及び受信手段２８からなる赤外線通信を使用して下記の手順で行われる。リモコン端末３の操作ボタン３１が操作されると、制御手段３２は操作ボタン検知ステップＳ１０でボタン操作を検知し、テレビ操作判断ステップＳ２０でこのボタン操作が例えばテレビ電源の入切ボタンや受信チャンネル選択ボタン操作などのテレビ操作であることを識別判断し、ＹＥＳ側の枝を辿って操作信号送出ステップＳ２１を実行する。操作信号送出ステップＳ２１で、テレビ操作の状況やボタン操作援助のための情報を必要に応じて表示器３３に表示する。
【００２０】
操作信号送出ステップＳ２１で、制御手段３２は送信手段３６を介して発光ダイオード３７を発光することによりテレビ操作信号を発信する。この発信されたテレビ操作信号はテレビ受像機２の受光ダイオード２９で受光され、受信手段２８を介して制御手段２３で受信され解読される。制御手段２３は前記解読した操作ボタン３１の操作内容に応じてテレビ回路２１を制御することによりテレビ受像機２の不図示の電源をオンオフしたり、テレビ回路２１の受信チャンネルを切り換えたりする。以上が通常のテレビ受像機能である。
【００２１】
つぎに、字幕情報の表示機能について説明する。受信されたテレビ信号は、テレビ回路２１で復号されて映像信号となる。この映像信号は表示器２２で画面表示されると共に字幕情報抽出手段２４に導かれ、字幕情報抽出手段２４は映像信号に含まれる字幕情報を一画面単位で抽出し、一時メモリ２５に記憶する。
【００２２】
リモコン端末３の操作ボタン３１が例えば不図示の字幕表示ボタンを押すなどの字幕表示操作であれば、制御手段３２は操作ボタン検知ステップＳ１０でボタン操作を検知し、テレビ操作判断ステップＳ２０のＮＯ側を辿り、字幕表示操作判断ステップＳ３０でこのボタン操作が字幕表示操作であることを識別判断し、ＹＥＳ側の枝を辿って字幕情報表示ステップＳ４０を実行する。字幕情報表示ステップＳ４０は字幕情報送出指示ステップＳ４０１、字幕情報受信ステップＳ４０２、字幕情報表示ステップＳ４０３、字幕情報記憶ステップＳ４０４を順に実行する手順である。
【００２３】
字幕情報送出指示ステップＳ４０１で、制御手段３２は送信手段３６を介して発光ダイオード３７を発光することにより字幕情報操作信号を発信する。この字幕情報操作信号はテレビ受像機２の受光ダイオード２９で受光され、受信手段２８を介して制御手段２３で受信され解読される。この解読結果に応じて制御手段２３は字幕情報抽出手段２４を動作させて映像信号に含まれる字幕情報を抽出して一時メモリ２５に記憶し、一時メモリ２５の記憶内容を送信手段２６と発光ダイオード２７からなる赤外線通信により抽出した字幕情報を発信する。
【００２４】
字幕情報受信ステップＳ４０２で、制御手段３２は前記発信された字幕情報をリモコン端末３の受光ダイオード３５で受光し、受信手段３４を介して受信し解読する。上記したように、テレビ受像機２からリモコン端末３への字幕情報の伝送は送信手段２６、発光ダイオード２７、受光ダイオード３５、及び受信手段３４による赤外線通信によって行われる。
字幕情報表示ステップＳ４０３で、制御手段３２は前記解読した字幕情報を表示器３３に表示する。
【００２５】
以上説明した操作ボタン検知ステップＳ１０から字幕情報表示ステップＳ４０３により、操作ボタン３１が操作された時点にテレビ受像機２の表示器２２に表示されている画面の映像信号に含まれた字幕情報がリモコン端末３の表示器３３に表示され、この表示された字幕情報は、予め定めた時間(例えば１分)を経過するか、又は操作ボタン３１の操作による新しい字幕情報への更新表示まで保持される。なお、一画面に含まれる字幕情報がリモコン端末３の表示器３３の表示可能文字数よりも多い場合、まず、制御手段３２は表示器３３に表示可能文字数の字幕情報を表示し、つぎに、予め定めた時間(例えば３０秒)、又は使用者の操作ボタン３１の残り情報表示操作を検知するにより未だ表示していない字幕情報を表示器３３に表示する動作を必要回数だけ繰り返すことにより、一画面に含まれる全ての字幕情報を表示する。
【００２６】
字幕情報記憶ステップＳ４０４で、制御手段３２は前記解読した字幕情報を字幕情報メモリ３８に一画面ごとに蓄積し記憶する。字幕情報メモリ３８に蓄積記憶された字幕情報の表示器３３への表示は、使用者が行った操作ボタン３１の字幕情報再生操作を制御手段３２が検知し、字幕情報メモリ３８に記憶された字幕情報を一画面ごとに読み出し、表示器３３に表示することにより行われる。一画面に含まれる字幕情報がリモコン端末３の表示器３３の表示可能文字数よりも多い場合、まず、制御手段３２は表示器３３に表示可能文字数の字幕情報を表示し、つぎに、予め定めた時間(例えば３０秒)、又は使用者の操作ボタン３１の残り情報表示操作を検知するにより未だ表示していない字幕情報を表示器３３に表示する動作を必要回数だけ繰り返すことにより、一画面に含まれる全ての字幕情報を表示する。なお、字幕情報メモリ３８が記憶された字幕情報で満たされてしまった場合、記憶されている最も古い字幕情報から順に最新の字幕情報で上書き記憶する。
【００２７】
なお、上記でテレビ受像機２からリモコン端末３への字幕情報の伝送を、他の無線通信方式に比べて低コストだが数ｋ〜数十ｋｂｐｓと通信速度が低く、かつ伝送距離が数ｍと短い赤外線通信としたが、字幕情報が一映像信号そのものに比べて高度に圧縮した文字符号であり、また一画面に最大でも数十文字しか含まれぬことが多いので、一画面当たりの字幕情報は通常数百バイト以下であり、前記の通信速度でも十分にリアルタイム感のある表示が可能である。以上が字幕情報の表示機能である。
【００２８】
以上で詳細に説明したように、本発明によるテレビ受像機セットによれば、テレビ受像を楽しみながら、常に手元にあるリモコン端末の簡単な操作で一瞬の間に流れてしまう字幕情報をリモコン端末の表示器に表示し、更新操作をするまでその表示内容を保持することができるので、その表示内容をゆっくり読んだり、メモをとったりすることができる。
【００２９】
また、本発明によるテレビ受像機セットは、図１の構成図に示すとおり、テレビ受像機２は通常のテレビ受像機に字幕情報抽出手段２４、一時メモリ２５、送信手段２６、発光ダイオード２７を付加したものであり、またリモコン端末３は通常のリモコン端末に受光ダイオード３５、受信手段３４、字幕情報メモリ３８を付加したものなので、通常のテレビ受像機セットと共用できる機能や手段が多く、小型で低コストである。特にリモコン端末３は、端末のサイズとコストの大きな要素である電池３９、表示器３３、操作ボタン３１などを共用しており、その効果は大である。
【００３０】
なお、本発明は上記実施例に限定されるものではない。
図１で説明した本発明の実施例では、操作ボタン３１の操作をテレビ受像機２の制御手段２３に伝える送信手段３６、発光ダイオード３７、受光ダイオード２９、及び受信手段２８による赤外線通信とし、字幕情報抽出手段２４により得られた字幕情報を送信手段２６、発光ダイオード２７、受光ダイオード３５、及び受信手段３４による赤外線通信としたが、これらの片方又は両方が赤外線通信ではなく、たとえばいわゆるブルーツースや無線ＬＡＮなどの無線電波通信であってもよい。
【００３１】
また、図１で説明した本発明の実施例では、字幕情報送出指示ステップＳ４０１で、字幕情報操作信号を受信、解読した制御手段２３は字幕情報抽出手段２４を動作させて映像信号に含まれる字幕情報を抽出して一時メモリ２５に記憶し、送信手段２６を介して発光ダイオード２７を発光することによりこの抽出した字幕情報を発信するとしたが、その代わりに字幕情報抽出手段２４は常に動作させておき、制御手段２３は解読した字幕情報操作信号に応じて一時メモリ２５又は送信手段２６を動作させて発光ダイオード２７を発光することによりこの抽出した字幕情報を発信しても良い。
【００３２】
また、字幕情報抽出手段２４を常に動作させ、一時メモリ２５を複数（例えば１５枚分）の画像に含まれる字幕情報を画像単位で予め定めた時間ごと（例えば０．５秒ごと）に記憶し、かつ記憶するたびに記憶内容を画像単位でシフトさせることにより常に最新の複数（例えば１５枚）の画像に含まれる字幕情報を記憶させるいわゆるシフト記憶型メモリ構成とし、制御手段２３は解読した字幕情報操作信号によって一時メモリ２５のシフト動作を停止させることによって記憶内容をホールドし、このホールドされた記憶内容を送信手段２６を介して発光ダイオード２７を発光することによりこの抽出した字幕情報を発信することにより、もし操作者が操作ボタン３１の字幕表示操作をするのが遅れた場合でも、過去（この例の場合は１５（枚分）ｘ０．５(秒ごと)＝７．５秒以前まで）の所望の画面に含まれる字幕情報を表示器３３に表示することができる。また、上記した例では複数の画像に含まれる字幕情報を画像単位で予め定めた時間ごとに記憶するとしたが、制御手段２３が字幕情報抽出手段２４の出力である字幕情報を監視し、字幕情報が変化した場合にだけこの画面に含まれる字幕情報を一時メモリ２５にシフト記憶させるようにしても良い。
【００３３】
また、図１で説明した本発明の実施例では、テレビ受像機２を受信したテレビ電波を処理して映像信号を出力するテレビ回路２１による通常のテレビ受像機であるとしたが、映像入力端子を有するいわゆるビデオモニタ装置や、ハードディスクやＤＶＤなどを内蔵した映像プレーヤ装置など字幕情報を含む映像信号が出力される装置であれば、同様の構成により本発明によるテレビ受像機セットが構成される。
【符号の説明】
【００３４】
２    テレビ受像機
３    リモコン端末
２７  発光ダイオード
２９  受光ダイオード
３５  受光ダイオード
３７  発光ダイオード
【図１】
2011049634.tif 000003
【図２】
2011049634.tif 000004